(57)【要約】【課題】温度が低く乾燥した雰囲気の寝床で就寝した場合、喉が痛くなったり、風邪の症状が出る場合がある。これは呼吸する空気の温度が低く乾燥しているため、呼吸により肺に通じる気道が乾燥したり、過剰に冷却されるためである。このような状態を緩和する。【解決手段】  使用者１、が横たわった状態で上半身を覆うことができる、上半身被覆器において上半身を間隔を隔てて覆う形状であり、平面状の被覆体，変形操作部分，を接合部品、で接合し、且つ、変形操作部分の中心から、内部にひも６、を垂らし、使用時に、被覆体を広げて、ひも６、を引き、全体の形状を立体にして使用する。【選択図】図１
2009195654.tif 000002
【特許請求の範囲】
【請求項１】
使用者が横たわった状態で上半身全体を覆うことのできる被覆器において、上半身を間隔を隔てて覆う形状であり、保温性及び水分不透過性、及び弾力性を有する樹脂（例えば発泡ポリエチレン）で形成された被覆体を備え、硬い骨組を使用しないことを特徴とする上半身被覆器。
【請求項２】
前記被覆体の一部分を使用者が暗闇の中でも手探りの単純な動作で変形させることにより、使用時の立体形状を維持でき、その変形を元に戻すことにより簡単に折りたためることを特徴とする請求項１記載の上半身被覆器。
【請求項３】
前記被覆体の内側に、アルミ蒸着フィルムを施工した、弾力性を有する樹脂（例えば発泡ポリエチレン）、を使用することにより、使用者の放射熱を反射させることを特徴とする請求項１又は２記載の上半身被覆器。
【請求項４】
前記被覆体の下端に布を装着することにより被覆体の、弾力性を有する樹脂（例えば発泡ポリエチレン）、及びアルミ蒸着フィルムが寝具に直接触れないことを特徴とする請求項１又は３記載の上半身被覆器。
【発明の詳細な説明】
【技術分野】
【０００１】  本発明は、使用者が横たわった状態の例えば就寝時に、上半身を被覆することができる上半身被覆器に関する。
【背景技術】
【０００２】  外気温が低い場合、呼吸により肺に通じる気道が乾燥したり、過剰に冷却されると、その結果、気道炎を起こしたりインフルエンザ等に感染することがある。そこで気道が乾燥したり、過剰に冷却されることを防止するために布製のマスクを装着して鼻や口を覆う方法がある。【０００３】  しかしこのようなマスクは就寝中に無意識に外してしまったり、寝返りをうったときに外れてしまうことがあり、その結果、気道が乾燥したり、過剰に冷却されることとなる。【０００４】  そこで、この問題を解決するための器具として、被覆器が開発されている。（例えば特許文献１参照。）。【０００５】  以下、図５により特許文献１の被覆器について説明する。この被覆器は図５において、枠体２１，２２，２３、枢支部２４、等の複数かつ多種の骨組と被覆体２５で構成され、使用時には骨組、被覆体を広げて顔を覆い、保温、保湿し、未使用時には骨組、被覆体を折りたたんで片付けることができる構造である。【０００６】
【特許文献１】特開２００６−０５５４９０号公報
【発明の開示】
【発明が解決しようとする課題】
【０００７】  以上に述べた特許文献１の被覆器は、複数かつ多種の部品で構成され、可動部が多いため、単純な機器に比較して故障する可能性が高い。また、不適切な使用方法や経年劣化で硬い骨組が破損又は折損した場合、使用者の身体を傷つける可能性がある。また、部品点数が多いのはコスト高となり、不経済である。更に、構造が大掛かりなため収納時の手順が煩雑であり、且つ保管時に破損、変形しないような専用のスペースを設ける必要がある。【０００８】  本発明は上記のような課題を解決するためになされたものであり、上半身を被覆できる上半身被覆器であって、単純構造で、経済的であり、また、何らかの原因で破損した場合でも身体を傷つける可能性が極めて低く、且つ使用及び片付けが容易で、また制約の少ない保管ができる上半身被覆器を提供することを目的としている。
【課題を解決するための手段】
【０００９】  請求項１の上半身被覆器は横たわった状態の使用者の上半身を覆う器具であって、該器具が、主たる被覆体である、平面状の、弾力性を有する樹脂（例えば発泡ポリエチレン）、により構成され、外周のうち上半分と変形操作部分が柔軟性を持った部品（例えばゴムひも）で接合されていることを特徴とする。【００１０】  請求項２の上半身被覆器は請求項１の発明において、使用者が横たわった状態で、被覆体下部を自身の上体部で広げ、中央付近の変形操作部分のひもを引くことにより変形した被覆体の一部がフレームとなって被覆体を広げた状態のまま維持でき、また単純な動作のため、暗闇の中、手探りであっても操作できることを特徴とする。【００１１】  請求項３の上半身被覆器は請求項１の発明において、被覆体の内側にアルミ蒸着フィルムを施工した、弾力性を有する樹脂（例えば発泡ポリエチレン）、を使用することにより、使用者から発せられた熱を反射して上半身被覆器内部の体感温度を上げることを特徴とする。【００１２】  請求項４の上半身被覆器は請求項１の発明において、外周のうち下半分に布を装着し、寝具と、弾力性を有する樹脂（例えば発泡ポリエチレン）、の被覆体が触れ合って不快な音を出すことを防ぎ、且つ、暗闇での上半身被覆器の上下位置関係が手探りでわかることを特徴とする。【００１３】  請求項１の課題解決手段による作用は次の通りである。本発明は平面状の、弾力性を有する樹脂（例えば発泡ポリエチレン）、と柔軟性を持った接合部品（例えばゴムひも）で構成されているので軽量で柔軟性があり、使用しないときには平面状に折りたため、且つ柔軟性があるので僅かな隙間にでも収納でき、また何らかの原因で破損したとしても、柔らかい材質なので使用者の身体を傷つける可能性が極めて低い。【００１４】  請求項２の課題解決手段による作用は次の通りである。使用者が横たわった状態で、被覆体下部を自身の上体正面で広げ、内部中央付近にぶら下がった、変形操作部分のひもを引くことにより形成した被覆体の一部がフレームとなって被覆体を広げた状態のまま維持でき、また単純な動作のため、就寝時が暗闇の中であっても手探りであっても操作できる。【００１５】  請求項３の課題解決手段による作用は次の通りである。被覆体の内側にアルミ蒸着フィルムを施工した、弾力性を有する樹脂（例えば発泡ポリエチレン）、を使用することにより、使用者から発せられた熱を反射して上半身被覆器内部の体感温度を上げる効率を高める。【００１６】  請求項４の課題解決手段による作用は次の通りである。外周のうち下半分に布を装着することにより、寝具と被覆体が直接触れ合うことを防止し、不快な音を出すことを防げ、且つ、暗闇での上半身被覆器の上下位置関係が手探りでわかる。
【発明の効果】
【００１７】  上述したように本発明の上半身被覆器は軽量で柔軟性があり、使用しないときには平面状に折りたため、且つ柔軟性があるので僅かな隙間にでも収納でき、また何らかの原因で破損したとしても、柔らかい材質なので使用者の身体を傷つける可能性が極めて低い。【００１８】  また、使用者が、被覆体下部を自身の上体正面で広げ、内部中央付近にぶら下がった、変形操作部分のひもを引くだけで被覆体を広げた状態のまま維持でき、また単純な動作のため、就寝時が暗闇の中であっても手探りで操作できる。【００１９】  また、被覆体の内側にアルミ蒸着フィルムを施工した、弾力性を有する樹脂（例えば発泡ポリエチレン）、を使用することにより、使用者から発せられた熱を反射して上半身被覆器内部の体感温度を上げられる。【００２０】  また、被覆体の外周のうち下半分に布を装着することにより寝具と被覆体が直接触れ合うことを防止し、不快な音を出すことを防げ、且つ、暗闇での上半身被覆器の上下位置関係が手探りでわかる。
【発明を実施するための最良の形態】
【００２１】  以下、本発明の実施の形態を図１〜図４に基づいて説明する。【００２２】  図において、２Ａ、２Ｂ、は主たる構成部品の被覆体であり、外周上の上半分と３Ａ，３Ｂ，３Ｃ，３Ｄの変形操作部分が接合部品５で柔軟な接合をされている。【００２３】  また、２Ａ、２Ｂ、の外周上の下半分にそれぞれ、布４を装着している。【００２４】  また、３Ａ，３Ｂ，３Ｃ，３Ｄの変形操作部分が合わさった部分より、ひも６が内側に垂れ下がるように装着されている。【００２４】  以下、上記構成の使用操作方法について説明する。使用者８、がベッド１０、上の敷布団９、に横たわって、掛け布団７、を掛け、上半身被覆器１、を顔前で図３のように左右に広げる。その後、図４のように、ひも６、を引っ張って、３Ａ，３Ｂ，３Ｃ，３Ｄの変形操作部分を、図４のように凹ませる。凹ませる事により２Ａ、２Ｂ、の被覆体が広がったままで固定される。この状態の上半身被覆器を被り就寝する。この一連の動作は単純であるので、就寝時が暗闇であっても手探りで操作できる。また起床時に折りたたむ場合は、ひも６、の取り付け部付近を内側から、軽く上方向に押すことにより、３Ａ，３Ｂ，３Ｃ，３Ｄの変形操作部分が元に戻り、２Ａ、２Ｂ、の被覆体が折りたたまれる。折りたたまれた上半身被覆器１、は厚さも薄く、柔軟性があるので、片付ける場所の制約が少ない効果が得られる。
【図面の簡単な説明】
【図１】本発明の使用状態の縦断面図である。
【図２】本発明の未使用時の折りたたんだ状態を示す斜視図である。
【図３】本発明の変形操作部分を操作する前の状態を示す斜視図である。
【図４】本発明の変形操作部分を操作した状態を示す斜視図である。
【図５】従来の被覆器の広げた状態を示す斜視図である。
【符号の説明】
１  上半身被覆器
２Ａ、２Ｂ  被覆体
３Ａ，３Ｂ，３Ｃ，３Ｄ  変形操作部分
４  布
５  接合部品
６  ひも
７  掛け布団
８  使用者
９  敷布団
１０  ベッド
【図１】
2009195654.tif 000003
【図２】
2009195654.tif 000004
【図３】
2009195654.tif 000005
【図４】
2009195654.tif 000006
【図５】
2009195654.tif 000007